(57)【要約】  水溶液は、非イオン性界面活性剤と、アルキルフェノキシポリエトキシフォスフェートと、アルキル基が８個以下の炭素を有し、該アルキル基が８個の炭素を有するとき、該アルキル基は２個の炭素分岐を有する直鎖６炭素鎖を有する分岐鎖アルキルであることを特徴とするアルキルグルコシドからなる群から選択されるアルキルグルコシドと、を含有し、該水溶液は、総水溶液重量に基づいて、０．３重量パーセント未満のクメンスルホン酸またはそのアルカリ塩を含有することを更に特徴とし、該アルキルグルコシドは、８個よりも多い炭素を有するアルキル基を有するアルキルグルコシドよりも高い濃度で存在する。ならびに曇点を上昇させ、起泡特性を低下させるためのその使用。【選択図】なし【特許請求の範囲】
【請求項１】
非イオン性界面活性剤と、アルキルフェノキシポリエトキシフォスフェートと、アルキル基が８個以下の炭素を有し、前記アルキル基が８個の炭素を有するとき、前記アルキル基は２個の炭素分岐を有する直鎖６炭素鎖を有する分岐鎖アルキルであることを特徴とするアルキルグルコシドからなる群から選択されるアルキルグルコシドと、を含む水溶液であって、前記水溶液が、総水溶液重量に基づいて、０．３重量パーセント未満のクメンスルホン酸またはそのアルカリ塩を含有することを更に特徴とし、前記アルキルグルコシドが、８個よりも多い炭素を有するアルキル基を有するアルキルグルコシドよりも高い濃度で存在する、水溶液。
【請求項２】
アルキルフェノキシポリエトキシフォスフェートの濃度が、アルキルフェノキシポリエトキシフォスフェートとアルキルグルコシドとの合計重量に基づいて、１００重量パーセント未満かつ４０重量パーセント以上である、請求項１に記載の水溶液。
【請求項３】
前記水溶液が、８個よりも多い炭素を含有するアルキル基を有するアルキルグルコシドを含まないことを更に特徴とする、請求項１または２に記載の水溶液。
【請求項４】
前記グルコシドが、アルキ基が直鎖６炭素アルキル鎖または２個の炭素分岐を有する直鎖６炭素アルキル鎖を有することを特徴とするアルキルグルコシドからなるアルキルグルコシドの群から選択されることを更に特徴とする、請求項１〜３のいずれか１項に記載の水溶液。
【請求項５】
前記グルコシドの前記アルキル基が、６個以下の炭素を有することを更に特徴とする、請求項１〜４のいずれか１項に記載の水溶液。
【請求項６】
前記非イオン性界面活性剤が、エチレンオキシドとプロピレンオキシドとのコポリマーであることを更に特徴とする、請求項１〜５のいずれか１項に記載の水溶液。
【請求項７】
電解質を更に含む、請求項１〜６のいずれか１項に記載の水溶液。
【請求項８】
非イオン性界面活性剤水溶液の曇点を上昇させ、起泡特性を低下させるためのプロセスであって、水性連続相において、以下の構成成分、非イオン性界面活性剤と、アルキルフェノキシポリエトキシフォスフェートと、アルキル基が８個以下の炭素を有し、前記アルキル基が８個の炭素を有するとき、前記アルキル基は２個の炭素分岐を有する直鎖６炭素鎖を有する分岐鎖アルキルであることを特徴とするアルキルグルコシドからなる群から選択されるアルキルグルコシドとを組み合わせて、溶液を形成することを含み、前記水溶液が、総水溶液重量に基づいて、０．３重量パーセント未満のクメンスルホン酸またはそのアルカリ塩を含有することを更に特徴とし、一方、前記アルキルグルコシドが、８個よりも多い炭素を有するアルキル基を有するいかなるアルキルグルコシドよりも高い濃度で組み合わされる、プロセス。
【請求項９】
前記グルコシドが、アルキ基が直鎖６炭素アルキル鎖または２個の炭素分岐を有する直鎖６炭素アルキル鎖を有することを特徴とするアルキルグルコシドからなるアルキルグルコシドの群から選択されることを更に特徴とする、請求項８に記載のプロセス。
【請求項１０】
前記グルコシドの前記アルキル基が、６個以下の炭素を有することを更に特徴とする、請求項８または９のいずれかに記載のプロセス。
【請求項１１】
前記溶液を形成するとき、電解質を更に組み合わせることを更に特徴とする、請求項８〜１０のいずれか１項に記載のプロセス。
【請求項１２】
前記非イオン性界面活性剤が、エチレンオキシドとプロピレンオキシドとのコポリマーであることを更に特徴とする、請求項６〜９のいずれか１項に記載のプロセス
【発明の詳細な説明】
【技術分野】
【０００１】
本発明は、非イオン性界面活性剤と、アルキルフェノキシポリエトキシフォスフェート及びアルキルグルコシドを含有するヒドロトロープとを含有する水溶液に関する。
【背景技術】
【０００２】
水性洗浄配合物の課題は、望ましくは同時に起泡を最小化しながら、幅広い環境及び温度における配合物の安定性を達成することである。洗浄配合物はしばしば、１つ以上の非イオン性界面活性剤を含有し、水酸化ナトリウムまたは水酸化カリウムなどの塩基及び他の電解質を更に含有し得る。電解質は、非イオン性界面活性剤の溶解性を低下させ、配合物の不安定化をもたらす。同様に、上昇させる温度は、非イオン性界面活性剤の溶解性を低下させることによって、配合物を不安定にする傾向がある。しばしば、非イオン性界面活性剤の溶解性を高め、温度に対する配合物安定性及び対象となる電解質濃度範囲を改良するために、ヒドロトロープが配合物中に含まれる。
【０００３】
洗浄配合物中に含まれるヒドロトロープの効率を最大化することが望ましい。つまり、所与の濃度のヒドロトロープのための非イオン性界面活性剤及び電解質を含有する水性洗浄配合物の曇点温度を最大化する、ヒドロトロープを特定することが望ましい。曇点温度とは、溶液の１つまたは１つを超える構成成分がもはや溶液中に完全に可溶性ではない温度であり、どの温度で溶液が不安定となるのかを明らかにする。より高い曇点温度は、より高い安定性を示す。
【０００４】
多くの用途において、洗浄配合物の起泡を最小化することが更に望ましい。洗浄配合物の循環を必要とするプロセスは、起泡によって阻害され、配合物循環の速度における変動を引き起こし、循環の停止をも引き起こし得る。起泡はまた、洗浄配合物を保持する容器の溢流を引き起こし得る。
【０００５】
したがって、曇点温度を最大化し、望ましくは、配合物中のヒドロトロープの効率を最大化することによって、非イオン性界面活性剤を含有する水性洗浄溶液の起泡を最小化する配合物を特定することが望ましい。
【発明の概要】
【０００６】
本発明は、電解質の存在下においてすら、非イオン性界面活性剤水溶液の曇点温度を相乗的に上昇させ、溶液の起泡特性を低減し得るヒドロトロープとしての役割を果たす添加剤の組み合わせの発見の結果である。
【０００７】
特に、本発明は、８個以下の炭素を有するアルキル基を有することを特徴とするアルキルグルコシドと組み合わせたアルキルフェノキシポリエトキシフォスフェートが、望ましくは同時に溶液の起泡特性を低減しながら、電解質の存在下においてすら、非イオン性界面活性剤水溶液の曇点温度を相乗的に上昇させるという発見の結果である。望ましくは、アルキル基は、直鎖６炭素アルキル鎖または２個の炭素分岐を有する直鎖６炭素アルキル鎖である。
【０００８】
第１の態様において、本発明は、非イオン性界面活性剤と、アルキルフェノキシポリエトキシフォスフェートと、アルキル基が８個以下の炭素を有し、該アルキル基が８個の炭素を有するとき、該アルキル基は２個の炭素分岐を有する直鎖６炭素鎖を有する分岐鎖アルキルであることを特徴とするアルキルグルコシドからなる群から選択されるアルキルグルコシドと、を含む水溶液であって、該水溶液が、総水溶液重量に基づいて、０．３重量パーセント未満のクメンスルホン酸またはそのアルカリ塩を含有することを更に特徴とし、該アルキルグルコシドが、８個よりも多い炭素を有するアルキル基を有するアルキルグルコシドよりも高い濃度で存在する、水溶液である。
【０００９】
第２の態様において、本発明は、曇点を上昇させ、非イオン性界面活性剤水溶液の起泡特性を低下させるためのプロセスであって、該プロセスが、水性連続相において、以下の構成成分、非イオン性界面活性剤と、アルキルフェノキシポリエトキシフォスフェートと、アルキル基が８個以下の炭素を有し、該アルキル基が８個の炭素を有するとき、それは２個の炭素分岐を有する直鎖６炭素鎖を有する分岐鎖アルキルであることを特徴とするアルキルグルコシドからなる群から選択されるアルキルグルコシドと、を組み合わせて、溶液を形成することを含み、該水溶液が、総水溶液重量に基づいて、０．３重量パーセント未満のクメンスルホン酸またはそのアルカリ塩を含有することを更に特徴とし、一方、該アルキルグルコシドが、８個よりも多い炭素を有するアルキル基を有するいかなるアルキルグルコシドよりも高い濃度で組み合わされる、プロセスである。
【００１０】
本発明のプロセスは、本発明の水溶液を調製するために有用である。本発明の水溶液は、洗浄溶液として有用である。
【図面の簡単な説明】
【００１１】
【図１】表１のデータのプロットである。
【図２】表２のデータのプロットである。
【図３】表３のデータのプロットである。
【図４】表４のデータのプロットである。
【図５】表５のデータのプロットである。
【発明を実施するための形態】
【００１２】
全ての範囲は、別途述べない限り、終点を含む。「及び／または」とは、「及び、または代替的には」を意味する。「混和性」とは、分子レベルでともに混合され得ることを意味する。
【００１３】
試験方法は、試験方法番号とともに、ハイフンでつながれた２桁の数字として日付を示さない限り、本文書の優先日時点で最も直近の試験方法を指す。試験方法の参照は、試験協会及び試験方法番号への参照の両方を含む。試験方法機関は、以下の略称のうちの１つによって参照され、ＡＳＴＭはＡＳＴＭ  Ｉｎｔｅｒｎａｔｉｏｎａｌ（以前はＡｍｅｒｉｃａｎ  Ｓｏｃｉｅｔｙ  ｆｏｒ  Ｔｅｓｔｉｎｇ  ａｎｄ  Ｍａｔｅｒｉａｌｓとして知られる）を指し、ＥＮはＥｕｒｏｐｅａｎ  Ｎｏｒｍを指し、ＤＩＮはＤｅｕｔｓｃｈｅｓ  Ｉｎｓｔｉｔｕｔ  ｆｕｒ  Ｎｏｒｍｕｎｇを指し、ＩＳＯはＩｎｔｅｒｎａｔｉｏｎａｌ  Ｏｒｇａｎｉｚａｔｉｏｎ  ｆｏｒ  Ｓｔａｎｄａｒｄｓを指す。
【００１４】
「Ｍｗ」は重量平均分子量を指し、「Ｍｎ」は数平均分子量を指す。本明細書において、ゲル浸透クロマトグラフィー（ＧＰＣ）を使用して分子量値を判定し、分子量分析を実行する。Ａｇｉｌｅｎｔ  １１００  Ｓｅｒｉｅｓ  ＧＰＣを使用して、０．１０グラムの試料を１０ミリリットルのテトラヒドロフラン（ＴＨＦ）中に溶解し、得られた溶液のうちの５０マイクロリットルを一連の２つのＰｏｌｙｍｅｒ  Ｌａｂｓ  ＰＬｇｅｌ  ５ｍｉｃｒｏｍｅｔｅｒ  ＭＩＸＥＤ−Ｅカラム（３３０×７．５ミリメートル）上に注入し、摂氏３５度（℃）、１分間当たり１．０ミリリットルの流量のＴＨＦで溶出することによって、ＧＰＣ分析を実行する。狭いポリエチレングリコール標準物質を使用して、従来の検量線を生成した。
【００１５】
本発明のヒドロトロープは、アルキルフェノキシポリエトキシフォスフェートとアルキルグルコシドとの組み合わせである。本発明は、非イオン性界面活性剤と、ヒドロトロープ（つまり、アルキルフェノキシポリエトキシフォスフェート及びアルキルグルコシド）とを含む水溶液に関する。本水溶液は、総水溶液重量に基づいて、０．３重量パーセント（重量％）未満のクメンスルホン酸またはそのアルカリ塩を含有することを更に特徴とする。
【００１６】
非イオン性界面活性剤は、典型的にはポリアルキレンオキシドであり、及びより典型的には異なるアルキレンオキシドのコポリマーである。例えば、非イオン性界面活性剤は、エチレンオキシド部分、プロピレンオキシド部分、ブチレンオキシド部分、またはこれらの任意の組み合わせを含むポリマーであり得る。本発明における使用のための一般的な非イオン性界面活性剤は、ジブロックコポリマー及びトリブロックコポリマーを含む、エチレンオキシドとプロピレンオキシドとのブロックコポリマーである。エチレンオキシド／プロピレンオキシド／エチレンオキシドトリブロックコポリマーは、本発明における使用のために特に望ましい非イオン性界面活性剤である。非イオン性界面活性剤は、水溶液の総重量に基づいて、典型的には水溶液中に０．５重量％以上、好ましくは１重量％以上、より好ましくは３重量％以上、更により好ましくは５重量％以上の濃度で存在し、８重量％以上の濃度であり得、一方、同時に、典型的には１５重量％以下、好ましくは１０重量％以下であり、８重量％以下であり得る。
【００１７】
アルキルフェノキシポリエトキシフォスフェートは、望ましくは塩形態であり、より望ましくはカリウム塩である。望ましくは、アルキルフェノキシポリエトキシフォスフェートは、ポリエトキシ構成成分中に２個以上のエトキシ単位を有し、同時に、一般に１０個以下、及び好ましくは５個以下のエトキシ単位を有する。アルキルフェノキシポリエトキシフォスフェートの１つの特に望ましいカリウム塩は、ＴＲＩＴＯＮ（商標）Ｈ−６６（ＴＲＩＴＯＮは、Ｔｈｅ  Ｄｏｗ  Ｃｈｅｍｉｃａｌ  Ｃｏｍｐａｎｙの商標である）の商品名で商業的に入手可能な、約５個のエチレンオキシド単位を有するメタメチルフェノールポリエトキシフォスフェートである。アルキルフェノキシポリエトキシフォスフェートは、総水溶液重量に基づいて、典型的には水溶液中に２０重量％未満、好ましくは１５重量％以下、より好ましくは１０重量％以下、及び一般に５重量％以下の濃度で存在し、４重量％以下、３重量％以下、または２重量％以下の濃度ですらあり得、一方、同時に、典型的には０．１重量％以上、一般に０．５重量％以上、及び典型的には０．７５重量％以上、及び好ましくは１重量％以上の濃度で存在する。
【００１８】
アルキルグルコシドは、アルキル基が８個以下の炭素を有し、アルキル基が８個の炭素を有するとき、それは２個の炭素分岐を有する直鎖６炭素アルキル鎖であることを特徴とする。同時に、アルキル基は、典型的には４個以上、好ましくは５個以上、及び最も好ましくは６個以上の炭素を有する。好ましくは、アルキル基は、直鎖６炭素アルキル鎖または２個の炭素分岐を有する直鎖６炭素アルキル鎖からなる群から選択される。更により好ましくは、アルキル基は、直鎖６炭素アルキル鎖である。８個よりも多い炭素を有するアルキル基を有するアルキルグルコシドが存在する場合、８個未満の炭素を有するアルキル基を有するアルキルグルコシドの濃度は、８個よりも多い炭素を有するアルキル基を有するアルキルグルコシドの濃度よりも大きい。望ましくは、本発明は、８個よりも多い炭素のアルキル基を有するアルキグルコシドを含まない。
【００１９】
アルキルグルコシドは、１個または１個を超えるグルコシド単位を有し得る。例えば、アルキルグルコシドは、２つ以上を有するポリグルコシドであり得、３つ以上のグルコシド基を有し得、一方、同時に、典型的には５つ以下、好ましくは４つ以下、より好ましくは３つ以下を有する。最も好ましくは、アルキルグルコシドは、１分子当たり１．２〜２個のグルコシド単位を有する。特に望ましいアルキルグルコシドの例としては、１分子当たり１．２〜２個のグルコシド単位と、直鎖６炭素アルキル鎖とを有するもの（ＧＲＥＥＮ  ＡＰＧ  ＩＣ  ０６の商品名で販売されるものなど）、ならびに１分子当たり１．２〜２個のグルコシド単位と、直鎖６炭素鎖及び２個の炭素分岐を有する８個の炭素アルキル基とを有するもの（ＧＲＥＥＮ  ＡＰＧ  ＩＣ  ０８の商品名で販売されるものなど）が挙げられる。
【００２０】
水溶液中のアルキルグルコシドの濃度は、総水溶液重量に基づいて、典型的には０．０５重量％以上、好ましくは０．１重量％以上、より好ましくは０．５重量％以上、更により好ましくは１重量％以上、なお更により好ましくは２重量％以上であり、３重量％以上、４重量％以上、５重量％以上、６重量％以上、及び７重量％以上ですらあり得、一方、同時に、典型的には１５重量％以下、及び一般に１０重量％以下であり、９重量％以下、８重量％以下、７重量％以下、６重量％以下、及び５重量％以下ですらあり得る。
【００２１】
本発明のヒドロトロープは、驚くべきことに、曇点温度の上昇によって証明されるように、非イオン性界面活性剤水溶液の安定化において相乗的効力を実証する。相乗作用は、アルキルフェノキシポリエトキシフォスフェートまたはアルキルグルコシド単独のヒドロトロープよりも高い曇点温度を達成することによって、明白である。望ましくは、ヒドロトロープ中のアルキルフェノキシポリエトキシフォスフェートの濃度は、重量％がアルキルフェノキシポリエトキシフォスフェートとアルキルグルコシドとの合計重量に基づいて、１００重量％未満であり、９５重量％以下、９０重量％以下、８０重量％以下、７０重量％以下、６０重量％以下、５０重量％以下ですらあり得、一方、同時に、好ましくは３０重量％以上、より好ましくは４０重量％以上であり、５０重量％以上、６０重量％以上、７０重量％以上、及び８０重量％以上ですらあり得る。
【００２２】
更に、本発明のヒドロトロープは、いずれかの構成成分単独よりも相乗的に低い起泡特性を実証する。なお更に、本発明のヒドロトロープは、ＴＲＩＴＯＮ  ＢＧ−１０アルキルグルコシド単独、または本発明のヒドロトロープ配合物のアルキフェノキシポリエトキシフォスフェートとの組み合わせよりも低い起泡特性を実証する。
【００２３】
したがって、本発明のヒドロトロープ配合物は、驚くべきことに、電解質の存在下においてすら、ヒドロトロープを含有する非イオン性界面活性剤水溶液の曇点温度を相乗的に上昇させながら、同時に、溶液の起泡特性を低減する。
【００２４】
本発明の水溶液は、非イオン性界面活性剤水溶液の曇点を上昇させ、起泡特性を低下させるための本発明のプロセスから生じる。本発明のプロセスは、水性連続相において、以下の構成成分、非イオン性界面活性剤と、アルキルフェノキシポリエトキシフォスフェートと、アルキル基が８個以下の炭素を有し、該アルキル基が８個の炭素を有するとき、該アルキル基は２個の炭素分岐を有する直鎖６炭素鎖を有する分岐鎖アルキルであることを特徴とするアルキルグルコシドからなる群から選択されるアルキルグルコシドと、を組み合わせて、溶液を形成することを含み、該水溶液が、総水溶液重量に基づいて、０．３重量パーセント未満のクメンスルホン酸またはそのアルカリ塩を含有することを更に特徴とし、一方、該アルキルグルコシドは、８個よりも多い炭素を有するアルキル基を有するいかなるアルキルグルコシドよりも高い濃度で組み合わされる。非イオン性界面活性剤、アルキルフェノキシポリエトキシフォスフェート、及びアルキルグルコシドは、上述の通りである。本発明のプロセスにおいて生成される水溶液は、上述の通りである。
【実施例】
【００２５】
電解質を含有する低気泡スプレー洗浄配合物
重量％が総水溶液重量に基づく、６５重量％の水と、１０重量％の水酸化ナトリウム溶液（５０重量％の水溶液）と、１モル当たり約１７５０グラムの重量平均分子量を有する８重量％のエチレンオキシド／プロピレンオキシド／エチレンオキシドブロックコポリマーと、ブロックコポリマーの約３０重量％を構成するエチレンオキシド（例えば、ＴＥＲＧＩＴＯＬ（商標）Ｌ−６２ポリエーテルポリオール非イオン性界面活性剤（ＴＥＲＧＩＴＯＬは、Ｔｈｅ  Ｄｏｗ  Ｃｈｅｍｉｃａｌ  Ｃｏｍｐａｎｙの商標である））と、４重量％の炭酸ナトリウムと、３重量％のメタケイ酸ナトリウムと、表１に特定される１０重量％のヒドロトロープとからなる水溶液を調製する。
【００２６】
以下の曇点温度特性評価手順に従って、表１の各試料の曇点温度を判定する。
【００２７】
曇点温度
直径１５ミリメートル及び長さ１５０ミリメートルの透明ガラス管中に、１０ミリリットルの試料溶液を導入する。溶液が曇るまで、ガラス温度計で内容物を撹拌しながら、摂氏８０度（℃）の温度の水浴中で試料を穏やかに加熱する。試料を水浴から取り除き、冷却させる。溶液が再び清澄となる温度を曇点温度として記録する。
【００２８】
表１は、試料のうちのそれぞれの曇点温度を含む。表１のデータは、アルキルフェノキシポリエトキシフォスフェートと、８個以下のアルキル炭素を有するアルキルグルコシドとがヒドロトロープとして使用されるときの、溶液の相乗的安定化を明らかにする。相乗的安定化は、アルキルフェノキシポリエトキシフォスフェートまたはアルキルグルコシド単独のヒドロトロープよりも高い曇点温度を達成することによって、明白である。アルキルグルコシド中のアルキル鎖長の重要性は、ＴＲＩＴＯＮ  ＢＧ−１０を使用するヒドロトロープでの相乗的効果の欠如から明白である。図１は、表１のデータのプロットを提供する。
【００２９】
５０重量％のＨ−６６と、５０重量％のアルキルグルコシド（実施例４、実施例１１、及び比較実施例Ｇ）とを有する試料を、それらの起泡特徴について更に特性評価した。脱イオン水中、試料溶液の５重量％の試験溶液を、（ＡＳＴＭ  Ｄ１１７３に説明する）Ｒｏｓｓ−Ｍｉｌｌｓ  Ｆｏａｍ  Ｔｅｓｔに供し、結果を表２及び図２に提示する。
【００３０】
Ｒｏｓｓ−Ｍｉｌｌｓ  Ｆｏａｍ  Ｔｅｓｔの結果は、本発明の水溶液が、比較実施例溶液よりも低い気泡高さ及び気泡保持を有することを明らかにする。
【００３１】
【表１】
2017515946.tif 000002
【００３２】
【表２】
2017515946.tif 000003
【００３３】
より低い電解質、高塩基配合物
重量％が総水溶液重量に基づく、７６重量％の水と、２０重量％の水酸化ナトリウム溶液（５０重量％の水溶液）と、１重量％のＴＥＲＧＩＴＯＬ（商標）Ｌ−６２ポリエーテルポリオール非イオン性界面活性剤（ＴＥＲＧＩＴＯＬは、Ｔｈｅ  Ｄｏｗ  Ｃｈｅｍｉｃａｌ  Ｃｏｍｐａｎｙの商標である）と、表３に特定される３重量％のヒドロトロープとからなる水溶液を調製する。上述する曇点温度特性評価手順を使用して、表３の各試料の曇点温度を判定する。結果を、表３及び図３に記載する。
【００３４】
結果は、アルキルフェノキシポリエトキシフォスフェートと、８個以下のアルキル炭素を有するアルキルグルコシドとがヒドロトロープとして使用されるときの、水溶液の安定化の相乗的増加を明らかにする。相乗的安定化は、アルキルフェノキシポリエトキシフォスフェートまたはアルキルグルコシド単独のヒドロトロープよりも高い曇点温度を達成することによって、明白である。アルキルグルコシド中のアルキル鎖長の重要性は、ＴＲＩＴＯＮ  ＢＧ−１０を使用するヒドロトロープでの相乗的効果の欠如から明白である。
【００３５】
【表３】
2017515946.tif 000004
【００３６】
より低い電解質、高塩基配合物、異なる非イオン性界面活性剤
重量％が総水溶液重量に基づく、７４重量％の水と、２０重量％の水酸化ナトリウム溶液（５０重量％の水溶液）と、１モル当たり約２７００グラムの重量平均分子量を有する２重量％のエチレンオキシド／プロピレンオキシド／エチレンオキシドブロックコポリマーと、ブロックコポリマーの約４０重量％を構成するエチレンオキシド（例えば、ＴＥＲＧＩＴＯＬ（商標）Ｌ−６４ポリエーテルポリオール非イオン性界面活性剤（ＴＥＲＧＩＴＯＬは、Ｔｈｅ  Ｄｏｗ  Ｃｈｅｍｉｃａｌ  Ｃｏｍｐａｎｙの商標である））と、表５に特定される４重量％のヒドロトロープとからなる水溶液を調製する。上述する曇点温度特性評価手順を使用して、表５の各試料の曇点温度を判定する。結果を、以下の表５、及び図５に記載する。
【００３７】
結果は、アルキルフェノキシポリエトキシフォスフェートと、アルキルグルコシドとがヒドロトロープとして使用されるときの、水溶液の安定化の相乗的増加を明らかにする。相乗的安定化は、アルキルフェノキシポリエトキシフォスフェートまたはアルキルグルコシド単独のヒドロトロープよりも高い曇点温度を達成することによって、明白である。
【００３８】
水中のヒドロトロープの一般起泡性能
０．１重量％のヒドロトロープを含有する水溶液を調製し、その水溶液を上述するＲｏｓｓ−Ｍｉｌｌｓ  Ｆｏａｍ  Ｔｅｓｔに供することによって、ヒドロトロープの一般起泡特徴を評価する。ヒドロトロープ及び結果を、以下の表４、及び図４に記載する。結果は、アルキルフェノキシポリエトキシフォスフェートと、８個以下のアルキル炭素を有するアルキルグルコシドとのヒドロトロープが、個々の構成成分に対する、構成成分の組み合わせのより低い気泡高さによって証明されるように、水溶液の起泡特性を相乗的に低減することを示す。アルキルグルコシド中のアルキル鎖長の重要性は、ＴＲＩＴＯＮ  ＢＧ−１０での気泡高さの明らかな相乗的上昇から明白である。
【００３９】
【表４】
2017515946.tif 000005
【００４０】
【表５】
2017515946.tif 000006
【図１】
2017515946.tif 000007
【図２】
2017515946.tif 000008
【図３】
2017515946.tif 000009
【図４】
2017515946.tif 000010
【図５】
2017515946.tif 000011
【国際調査報告】
2017515946.tif 000012
2017515946.tif 000013